(57)【特許請求の範囲】
【請求項１】
ＳＳＲマーカーＥＭＢＲＡ８、ＥＭＢＲＡ１６、ＥＭＢＲＡ３５、ＥＭＢＲＡ１０５、ＥＭＢＲＡ１９１のそれぞれの遺伝子型が、反復回数１４３／１５５、１３６／１４４、２１８／２２６、１１８／１１８、１７８／１９４であるユーカリ属植物のクローン苗を育成し、得られるユーカリ属植物を原料としてパルプを製造する、パルプの製造方法。  
【請求項２】
パルプが、繊維全体に占める繊維幅１６〜１８μｍの存在割合が４５％以上であるパルプである、請求項１に記載の製造方法。  
【請求項３】
ユーカリ属植物が、ユーカリ・ユーログランディスである請求項１又は２に記載の製造方法。  
【請求項４】
ユーカリ属植物が、ユーカリ・ユーログランディスＨ３９１１株である請求項１〜３のいずれか一項に記載の製造方法。
【発明の詳細な説明】
【技術分野】
【０００１】
本発明は、パルプの製造方法に関する。
【背景技術】
【０００２】
従来、国産のパルプは複数の樹種を混合したチップから製造されていた。そのため、得られるパルプの繊維の形状は均一ではなく、それぞれの材の特徴が現れ難かった。
【０００３】
特許文献１には、（１）同一樹齢のユーカリ属植物の検定林から高パルプ収率のユーカリ属植物を選抜する工程、（２）選抜されたユーカリ属植物から挿し木法によりクローン苗を作製する工程、（３）クローン苗を植林する工程を経て、高いパルプ収率を有するユーカリ属植物を生産することができることが記載されている。
【先行技術文献】
【特許文献】
【０００４】
【特許文献１】特開２０１０−１０４２８９号公報
【発明の概要】
【発明が解決しようとする課題】
【０００５】
しかしながら、特許文献１に記載されているユーカリ属植物から得られるパルプおよび紙の品質は様々であり、強度に優れるパルプを効率よく得ることができなかった。
【０００６】
本発明は、繊維幅が均一なパルプおよび紙の原料を効率よく製造する方法を提供することを目的とする。また、得られたパルプおよび紙の原料を用いることで、嵩高で強度に優れる紙を製造すること方法を提供することを目的とする。
【課題を解決するための手段】
【０００７】
すなわち、本発明は以下の〔１〕〜〔５〕である。
〔１〕ＳＳＲマーカーＥＭＢＲＡ８、ＥＭＢＲＡ１６、ＥＭＢＲＡ３５、ＥＭＢＲＡ１０５、ＥＭＢＲＡ１９１のそれぞれの遺伝子型が、反復回数１４３／１５５、１３６／１４４、２１８／２２６、１１８／１１８、１７８／１９４であるユーカリ属植物のクローン苗を育成し、得られるユーカリ属植物を原料としてパルプを製造する、パルプの製造方法。
〔２〕パルプが、繊維全体に占める繊維幅１６〜１８μｍの存在割合が４５％以上であるパルプである、〔１〕に記載の製造方法。
〔３〕ユーカリ属植物が、ユーカリ・ユーログランディスである〔１〕又は〔２〕に記載の製造方法。
〔４〕ユーカリ属植物が、ユーカリ・ユーログランディスＨ３９１１株である〔１〕〜〔３〕のいずれか一項に記載の製造方法。
〔５〕〔１〕〜〔４〕のいずれか一項に記載の製造方法により得られるパルプから製造される紙。
【発明の効果】
【０００８】
本発明によれば、繊維幅が均一なパルプを製造することができ、嵩高で強度に優れる紙を製造することができる。
【図面の簡単な説明】
【０００９】
【図１】図１は、パルプの密度に対する比破裂強度の関係を示すグラフである。
【図２】図２は、パルプの密度に対する比引き裂き強度の関係を示すグラフである。
【図３】図３は、パルプの密度に対する裂断長の関係を示すグラフである。
【図４】図４は、パルプの密度に対する比破裂強度の関係を示すグラフである。
【図５】図５は、パルプの密度に対する比引き裂き強度の関係を示すグラフである。
【図６】図６は、パルプの密度に対する比引張り強度の関係を示すグラフである。
【図７】図７は、パルプの密度に対する裂断長の関係を示すグラフである。
【図８】図８は、パルプの繊維幅に対するＣＳＦの関係を示すグラフである。
【図９】図９は、パルプにおける各繊維幅の繊維の存在頻度を示すグラフである。
【図１０】図１０は、漂白工程ごとの白色度推移を示すグラフである。
【図１１】図１１は、Ｈ３９１１株のＥＭＢＲＡ８マーカーの存在頻度を示すチャートである。
【図１２】図１２は、Ｈ３９１１株のＥＭＢＲＡ１６マーカーの存在頻度を示すチャートである。
【図１３】図１３は、Ｈ３９１１株のＥＭＢＲＡ３５マーカーの存在頻度を示すチャートである。
【図１４】図１４は、Ｈ３９１１株のＥＭＢＲＡ１０５マーカーの存在頻度を示すチャートである。
【図１５】図１５は、Ｈ３９１１株のＥＭＢＲＡ１９１マーカーの存在頻度を示すチャートである。
【図１６】図１６は、Ｈ４０７９株のＥＭＢＲＡ８マーカーの存在頻度を示すチャートである。
【図１７】図１７は、Ｈ４０７９株のＥＭＢＲＡ１６マーカーの存在頻度を示すチャートである。
【図１８】図１８は、Ｈ４０７９株のＥＭＢＲＡ３５マーカーの存在頻度を示すチャートである。
【図１９】図１９は、Ｈ４０７９株のＥＭＢＲＡ１０５マーカーの存在頻度を示すチャートである。
【図２０】図２０は、Ｈ４０７９株のＥＭＢＲＡ１９１マーカーの存在頻度を示すチャートである。
【図２１】図２１は、Ｕ３０７４株のＥＭＢＲＡ８マーカーの存在頻度を示すチャートである。
【図２２】図２２は、Ｕ３０７４株のＥＭＢＲＡ１６マーカーの存在頻度を示すチャートである。
【図２３】図２３は、Ｕ３０７４株のＥＭＢＲＡ１０５マーカーの存在頻度を示すチャートである。
【図２４】図２４は、Ｕ３０７４株のＥＭＢＲＡ１９１マーカーの存在頻度を示すチャートである。
【図２５】図２５は、Ｕ３２３７株のＥＭＢＲＡ１０５マーカーの存在頻度を示すチャートである。
【図２６】図２６は、Ｕ３２４４株のＥＭＢＲＡ１０５マーカーの存在頻度を示すチャートである。
【図２７】図２７は、Ｐ３３３５株のＥＭＢＲＡ１０５マーカーの存在頻度を示すチャートである。
【図２８】図２８は、Ｐ３３３６株のＥＭＢＲＡ１０５マーカーの存在頻度を示すチャートである。
【発明を実施するための形態】
【００１０】
本発明においてパルプの原料である植物は、ユーカリ属（Ｅｕｃａｌｙｐｔｕｓ）植物である。ユーカリ属植物のＳＳＲ（Ｓｉｍｐｌｅ  Ｓｅｑｕｅｎｃｅ  Ｒｅｐｅａｔ）マーカーＥＭＢＲＡ８の遺伝子型（反復回数）は、１４３／１５５である。ユーカリ属植物のＳＳＲマーカーＥＭＢＲＡ１６の遺伝子型（反復回数）は、１３６／１４４である。ユーカリ属植物のＳＳＲマーカーＥＭＢＲＡ３５の遺伝子型（反復回数）は、２１８／２２６である。ユーカリ属植物のＳＳＲマーカーＥＭＢＲＡ１０５の遺伝子型（反復回数）は、１１８／１１８である。ユーカリ属植物のマイクロサテライトマーカーＥＭＢＲＡ１９１の遺伝子型（反復回数）は、１７８／１９４である。
【００１１】
ＥＭＢＲＡ８、ＥＭＢＲＡ１６、ＥＭＢＲＡ３５、ＥＭＢＲＡ１０５、ＥＭＢＲＡ１９１は、それぞれユーカリ属植物の以下の位置に存在する：
ＥＭＢＲＡ８：６番染色体の塩基番号２４２７７６２５−２４２７７７３５
ＥＭＢＲＡ１６：１番染色体の塩基番号２０２８２９０５−２０２８３１４４
ＥＭＢＲＡ３５：１番染色体の塩基番号３２９４１５０８−３２９４１７６９
ＥＭＢＲＡ１０５：６番染色体の３９０２１０９３−３９０２１２１６
ＥＭＢＲＡ１９１：１１番染色体の６６２８１２８−６６２８３８６
これらは、Ｅ．ｇｒａｎｄｉｓ（ＢＲＡＳＵＺ１）の配列情報から確認可能である。
【００１２】
各ＳＳＲマーカーの遺伝子型の確認は、ポリメラーゼ連鎖反応（ＰＣＲ）、Ｉｎｔｅｒ−Ｓｉｍｐｌｅ  Ｓｅｑｕｅｎｃｅ  Ｒｅｐｅａｔ（ＩＳＳＲ）等の方法により行えばよい。
【００１３】
ユーカリ属植物としては、ユーカリプタス・ユーログランディス、ユーカリプタス・ユーロフィラ、ユーカリプタス・グランディス、ユーカリプタス・グロビュラス、丸葉ユーカリ、ユーカリプタス・ラディアータが例示され、ユーカリプタス・ユーログランディス、ユーカリプタス・ユーロフィラ、ユーカリプタス・グランディスが好ましく、ユーカリプタス・ユーログランディスがより好ましく、ユーカリプタス・ユーログランディスＨ３９１１株がさらに好ましい。
【００１４】
ユーカリプタス・ユーログランディスＨ３９１１株が上記マイクロサテライトマーカーを有していることは、図１１〜１５に示すデータからも明らかである。
【００１５】
ユーカリ属植物は上記の１種および２種以上の組み合わせのいずれであってもよいが、ユーカリプタス・ユーログランディスＨ３９１１株またはこれを含む組み合わせであることが好ましく、ユーカリプタス・ユーログランディスＨ３９１１株であることがより好ましい。これにより、繊維幅が均一で強度が高いパルプを容易に得ることができる。
【００１６】
ユーカリ属植物からクローン苗を得る方法は、特に限定されない。クローン苗とは、不定根を有する植物体を意味する。
【００１７】
クローン苗を得る際の材料としては、植物体の一部等全部を用いることができるが、不定根を形成することが期待される点で、通常は植物体の一部であり、好ましくはシュートである。シュートとは、発根能を有する組織全般をいう。該組織としては、枝、茎、頂芽、腋芽、不定芽、葉、子葉、胚軸、不定胚、苗条原基等が例示される。シュートの由来は特に限定されず、温室または屋外に生育している植物個体から得られる組織でもよいし、組織培養法により得られた培養組織であってもよいし、天然の植物体の一部の組織であってもよい。シュートは、挿し穂の母本植物、または多芽体から効率良く取得することができる。中でも、挿し穂（母本植物から得た挿し穂）、母本植物から採取した器官を無菌的に培養することにより得た多芽体、もしくは前記器官を無菌的に育成して得た茎葉であることが好ましい。
【００１８】
多芽体は、ユーカリ属植物から頂芽、腋芽等の組織を切取って、これを組織培養して誘導すればよい。多芽体を、母本植物から採取した器官を無菌的に培養して、形成させるには、特開平８−２２８６２１号公報に記載の方法、条件に従って行い得る。その方法、条件は概ね次の通りである。まず、材料とする植物から頂芽、腋芽等の組織を採取し、採取した組織について、有効塩素量約０．５％〜約４％の次亜塩素酸ナトリウム水溶液または有効塩素量約５％〜約１５％の過酸化水素水溶液に約１０分〜約２０分間浸漬して表面殺菌を行う。次いで、これを滅菌水で洗浄し、固体培地に挿し付けて芽を開じょさせ、伸長してきた茎葉を同じ組成の培地で継代培養することにより、多芽体を形成させる。ユーカリ属またはアカシア属の組織（例えば腋芽）を用いる場合には、固体培地は、ショ糖１〜５重量％、植物ホルモンとしてベンジルアデニン（以下、ＢＡと略す。）約０．０２ｍｇ／ｌ以上約１ｍｇ／ｌ以下、ゲランガム約０．２重量％以上約０．３重量％若しくは寒天約０．５重量％以上約１重量％以下を含有するムラシゲスクーグ（以下、ＭＳと略す。）培地、または、ＭＳ培地の硝酸アンモニウム成分と硝酸カリウム成分とを半減させた改変ＭＳ培地を用いるのが好ましい。こうして形成された多芽体からは活発にシュートが伸長する。多芽体自体は、適当に分割して多芽体形成に用いた培地と同一組成の培地で培養することにより維持し、増殖させればよい。
【００１９】
一方、シュートとして挿し穂を用いてもよい。通常は挿し穂に対し、投与されることで、その効果を発揮する。挿し穂としては、植物の少なくとも一部であればよく、緑枝（当年枝）、熟枝（前年以前に伸びた枝）等の枝；頂芽、腋芽等の芽；葉、子葉；胚軸などが例示される。木本植物の場合の挿し穂は、通常は緑枝または熟枝であり、草本植物の場合の挿し穂は、通常は葉または芽であるが、これらには限定されない。
【００２０】
クローン苗を得る方法に特に制限はなく、植物の種類、部位、状態等から適宜選択できるが、発根用培地でユーカリ属植物（好ましくはシュート）を培養する方法が例示される。発根用培地は、植物（好ましくはシュート）から発根させることができる培地であればその成分、形状等は特に限定されない。
【００２１】
発根用培地は、銀イオンおよび／または抗酸化剤を含有することが好ましく、銀イオンおよび抗酸化剤の両方を含有することがより好ましい。銀イオンは、チオ硫酸銀（ＳＴＳ、ＡｇＳ4Ｏ6）、硝酸銀等の銀化合物（銀イオン源）として培地中に添加すればよい。中でもＳＴＳは、健全な根の発根および／または伸長を促進するので、好ましい。これは、ＳＴＳに由来する銀イオンが、培地中で、チオ硫酸銀イオンの形態を取り、マイナスに帯電しているためと考えられる。銀イオン１種を用いてもよいし、２種以上の組み合わせを用いてもよい。発根用培地中の銀イオンの濃度は、銀イオン源の種類その他の培養条件等にもよるが、約０．５μＭ以上約６μＭ以下が好ましく、約２μＭ以上約６μＭ以下がより好ましい。
【００２２】
一方、抗酸化剤としては、例えば、アスコルビン酸、亜硫酸塩等の、公知の抗酸化剤が挙げられ、培地への残留性が低いためアスコルビン酸が好ましい。抗酸化剤１種を用いてもよいし、２種以上の組み合わせを用いてもよい。発根用培地中の抗酸化剤の濃度は、約５ｍｇ／ｌ以上約２００ｍｇ／ｌ以下が好ましく、約２０ｍｇ／ｌ以上約１００ｍｇ／ｌ以下がより好ましい。
【００２３】
発根用培地は、上記成分に加え、無機成分、炭素源、ビタミン、アミノ酸および植物ホルモン等の他の成分を含んでもよい。
【００２４】
無機成分としては、窒素、リン、カリウム、硫黄、カルシウム、マグネシウム、鉄、マンガン、亜鉛、ホウ素、モリブデン、塩素、ヨウ素、コバルト等の元素、および、これらの元素から選ばれる１以上の元素を含む無機塩が例示される。該無機塩としては例えば、硝酸カリウム、硝酸アンモニウム、塩化アンモニウム、硝酸ナトリウム、リン酸１水素カリウム、リン酸２水素ナトリウム、塩化カリウム、硫酸マグネシウム、硫酸第１鉄、硫酸第２鉄、硫酸マンガン、硫酸亜鉛、硫酸銅、硫酸ナトリウム、塩化カルシウム、塩化マグネシウム、ホウ酸、三酸化モリブデン、モリブデン酸ナトリウム、ヨウ化カリウム、塩化コバルト等、これらの水和物が挙げられる。無機成分１種を用いてもよいし、２種以上の組み合わせを用いてもよい。
【００２５】
発根用培地は、窒素、リン、カリウムを必須元素として含んでもよい。よって、無機成分は、窒素、リン、カリウム、窒素を含む無機塩、リンを含む無機塩、およびカリウムを含む無機塩を含むことが好ましく、窒素、リン、カリウム、および、窒素を含む無機塩を含むことがより好ましい。無機成分が１種である場合、発根用培地中の無機成分の濃度が、約０．１μＭ以上約１００ｍＭ以下であることが好ましく、約１μＭ以上約１００ｍＭ以下であることがより好ましい。２種以上の組み合わせの場合は、それぞれの無機成分の濃度が約０．１μＭ以上約１００ｍＭ以下であることが好ましく、約１μＭ以上約１００ｍＭ以下であることがより好ましい。
【００２６】
炭素源としては、ショ糖等の炭水化物とその誘導体；脂肪酸等の有機酸；エタノール等の１級アルコール、等が例示される。炭素源１種を用いてもよいし、２種以上の組み合わせを用いてもよい。発根用培地中の炭素源の濃度は、約１ｇ／ｌ以上約１００ｇ／ｌ以下であることが好ましく、約１０ｇ／ｌ以上約１００ｇ／ｌ以下であることがより好ましい。しかし、培養を炭酸ガスを供給しながら行う場合には、培地は炭素源を含む必要は無く、含まないことが好ましい。ショ糖等の炭素源となりうる有機化合物は微生物の炭素源ともなるので、これらを添加した培地を用いる場合には、無菌環境下で培養を行う必要がある。しかし、炭素源を含まない培地を用いることにより、非無菌環境下での培養が可能となる。
【００２７】
ビタミンとしては、例えば、ビオチン、チアミン（ビタミンＢ１）、ピリドキシン（ビタミンＢ４）、ピリドキサール、ピリドキサミン、パントテン酸カルシウム、イノシトール、ニコチン酸、ニコチン酸アミドおよび／またはリボフラビン（ビタミンＢ２）等が挙げられる。ビタミン１種を用いてもよいし、２種以上の組み合わせを用いてもよい。ビタミンが１種である場合は、発根用培地中のビタミンの濃度が、約０．０１ｍｇ／ｌ以上約２００ｍｇ／ｌ以下であることが好ましく、約０．０２ｍｇ／ｌ以上約１００ｍｇ／ｌ以下であることがより好ましい。２種以上の組み合わせの場合、それぞれの濃度が約０．０１ｍｇ／ｌ以上約１５０ｍｇ／ｌ以下であることが好ましく、約０．０２ｍｇ／ｌ以上約１００ｍｇ／ｌ以下であることがより好ましい。
【００２８】
アミノ酸としては、例えば、グリシン、アラニン、グルタミン酸、システイン、フェニルアラニンおよび／またはリジン等が挙げられる。アミノ酸１種を用いてもよいし、２種以上の組み合わせを用いてもよい。アミノ酸が１種である場合は、発根用培地中のアミノ酸の濃度が、約０．１ｍｇ／ｌ以上約１０００ｍｇ／ｌ以下であることが好ましい。２種以上の組み合わせの場合、それぞれの濃度が約０．２ｍｇ／ｌ以上約１０００ｍｇ／ｌ以下であることが好ましい。
【００２９】
植物ホルモンとしては、例えば、オーキシンおよび／またはサイトカイニンが挙げられる。オーキシンとしては、ナフタレン酢酸（ＮＡＡ）、インドール酢酸（ＩＡＡ）、ｐ−クロロフェノキシ酢酸、２，４−ジクロロフェノキシ酢酸（２，４Ｄ）、インドール酪酸（ＩＢＡ）およびこれらの誘導体等が例示される。オーキシン１種を用いてもよいし、２種以上の組み合わせを用いてもよい。サイトカイニンとしては、ベンジルアデニン（ＢＡ）、カイネチン、ゼアチンおよびこれらの誘導体等が例示される。サイトカイニン１種を用いてもよいし、２種以上の組み合わせを用いてもよい。植物ホルモンは、オーキシンのみを含んでいてもよく、サイトカイニンのみを含んでいてもよく、オーキシンとサイトカイニンの組み合わせを含んでいてもよい。植物ホルモンが１種である場合、発根用培地中の植物ホルモンの濃度は、約０．０１ｍｇ／ｌ以上約１０ｍｇ／ｌ以下であることが好ましく、約０．０２ｍｇ／ｌ以上約１０ｍｇ／ｌ以下であることがより好ましい。２種以上の場合、それぞれの濃度は、約０．０１ｍｇ／ｌ以上約１０ｍｇ／ｌ以下であることが好ましく、約０．０２ｍｇ／ｌ以上約１０ｍｇ／ｌ以下であることがより好ましい。
【００３０】
発根用培地は、植物組織培養用培地として用いられる培地であってもよい。発根用培地には、必要に応じて、不定根形成促進剤、銀イオン、抗酸化剤、炭素源、植物ホルモン等の成分が添加されていてもよい。植物組織培養用培地として用いられる培地としては、例えば、ＭＳ培地、リンスマイヤースクーグ培地、ホワイト培地、ガンボーグのＢ−５培地、ニッチニッチ培地等が挙げられる。中でも、ＭＳ培地およびガンボーグのＢ−５培地が好ましい。これらの培地は、必要に応じて適宜希釈等してもよい。
【００３１】
発根用培地は、液体培地、固体培地のいずれであってもよいが、液体培地の方が作業効率および移植時に根を傷つけることが少ない点で好ましい。液体培地は、培地組成を混合して調製すればよい。固体培地は、培地組成を混合すると同時に、又はその後に、寒天、ゲランガム等の固化剤で固化させて調製すればよい。固化剤の添加量は、固化剤の種類、培地の組成等の条件によって異なり、一律に特定できない。寒天の添加量は、培地に対し０．５重量％以上１重量％以下であることが好ましい。ゲランガムの添加量は、培地に対し０．２重量％以上０．３重量％以下であることが好ましい。
【００３２】
発根用培地への植物（好ましくは、シュート）の挿し付け方法は、培地の種類、培養条件等により適宜選択すればよい。発根用培地が固体培地の場合は、発根用培地に直接シュートの基部を挿し付けて培養すればよい。一方発根用培地が液体培地の場合は、例えば、後述の支持体を発根用培地で湿潤させてから、シュートの基部を挿し付けて培養すればよい。発根用培地に挿し付ける時にシュートの基部に傷をつけるといった物理的刺激を加えることも、発根率の向上のために好ましい。シュートの基部とは、シュートの一端であって根が形成される領域（葉の形成される端部に対し反対側）を意味する。シュートとして多芽体を用いる場合の基部は、多芽体を分割する際の切断面を有する領域である。シュートの基部への傷のサイズ（大きさ、形状等）は特に限定されない。例えば、シュートとして多芽体を用いる場合、シュートの基部（上述の切断面）を正面方向から見た際に十字型となるような傷を付けることが好ましい。傷を付ける際には、ハサミ、ナイフ等の器具を用いればよい。
【００３３】
植物からクローン苗を得る際には、支持体を用いてもよい。支持体とは、植物（好ましくは、シュート）を支持するための支持体である。発根用培地（特に固体培地）を用いる場合等には、支持体は不要の場合があるが、それ以外の場合には通常支持体が利用される。
【００３４】
支持体は、栽培の期間中シュートを指しつけた状態で保持できる支持体が好ましい。液状の発根用培地を用いる場合、通常、培地を浸潤させた支持体に植物を挿し付ける。よって支持体は液体で浸潤され得る支持体が好ましい。支持体としては、例えば、従来慣用の支持体が挙げられ、特に限定されない。支持体としては例えば、砂、赤玉土等の自然土壌；籾殻燻炭、ココナッツ繊維、バーミキュライト、パーライト、ピートモス、ガラスビーズ等の人工土壌；発泡フェノール樹脂、ロックウール等の多孔性成形品等が挙げられる。支持体を培養容器内に入れ、液体培地にて湿潤させることにより発根床が調製され得る。なお、発根用培地が固体培地の場合には、固体培地を直接培養容器に入れることで、発根床が調製され得る。
【００３５】
植物からクローン苗を得る際には、発根用培地および／または支持体を納めるための培養容器を用い得る。培養容器としては、従来慣用の培養容器を用いればよく、特に限定されない。例えば、育苗ポット、プラグトレー等が挙げられる。培養容器は、密閉型でもよいし開放型でもよいが、密閉型の培養容器が好ましい。およびまた、シュートおよびこれから形成されるクローン苗を取り巻く環境の湿度維持が容易となる。
【００３６】
シュートとして枝を用いる場合には、培養容器として密閉型の培養容器を用いることが好ましい。これによりシュートを高湿度下に置くことが容易となるので枝についた葉の蒸散作用が抑制され、従来行われていた葉の一部切除処理を省略することができる。
【００３７】
培養容器は、容器内への炭酸ガス供給が可能な容器であることがより好ましい。このような培養容器としては、二酸化炭素透過性の膜で蔽われた開口部を有する容器が例示される。二酸化炭素透過性の膜で蔽われた開口部を有する容器を用いることにより、培養環境の湿度をも容易に調整しうる。開口部の形状は特に問わない。二酸化炭素透過性の膜の材料は特に限定されず、ポリテトラフルオロエチレン等が例示される。膜の孔径も特に限定されず、約０．１μｍ以上約１μｍ以下の孔径の膜が例示される。
【００３８】
クローン苗を得る際の栽培条件は、ユーカリ属植物から発根させ得る条件であることが好ましい。栽培条件は、植物の種類、部位、状態、発根用培地の種類等により一概に規定することは難しいが、温度は、約２３℃以上約２８℃以下であることがより好ましい。光強度（光合成有効光量子束密度）は、約１０μｍｏｌ／ｍ2／ｓ以上約１０００μｍｏｌ／ｍ2／ｓ以下であることが好ましく、約５０μｍｏｌ／ｍ2／ｓ以上約５００μｍｏｌ／ｍ2／ｓ以下であることがより好ましい。いずれの場合でも、通常は約２週間以上約５週間以内で、シュートからの発根が観察されるようになる。
【００３９】
照射光は、約６５０ｎｍ以上約６７０ｎｍ以下の波長成分と約４５０ｎｍ以上約４７０ｎｍ以下の波長成分とを含む光であることが好ましい。その比率は、好ましくは９：１〜７：３、より好ましくは９：１〜８：２である。これにより、植物（好ましくは、シュート）からの発根がより促進され得る。
【００４０】
栽培環境における炭酸ガス濃度は、通常は３００ｐｐｍ以上２０００ｐｐｍ以下、好ましくは８００ｐｐｍ以上１５００ｐｐｍ以下であることが好ましい。炭酸ガスの供給量の制御は、人工気象器等の設備、二酸化炭素透過性の膜を開口部に有する培養容器等を利用して行えばよい。
【００４１】
湿度は、植物の種類等栽培条件に応じて設定すればよく特に限定されない。通常は、８０％以上であり、８５％以上であることが好ましい。これにより、植物からの発根を促進することができる。湿度の上限については特に制限はなく、１００％であってもよい。
【００４２】
シュートとして挿し穂を用いる場合には、遮光を行うことが好ましい。遮光率は、３０％以上７０％以下が好ましく、４０％以上６０％以下がより好ましい。
【００４３】
ユーカリ属植物のクローン苗からパルプの原料となるユーカリ属植物を得る方法は特に限定されないが、一例を挙げると次のとおりである。クローン苗を引き続き栽培し（通常１０日以上９０日以下）、根を充実させた後に育苗容器、苗畑等に移植して育成し、その後植林する。苗を育成する際の用土、温度、光強度等の条件は、適宜設定すればよい。不定芽、苗条原基等の培養組織由来のシュートを発根させた場合には、育苗容器等への移植の前に、順化の過程を経ることが好ましい。
【００４４】
植物からのパルプの製造は、常法に従って行えばよい。
【００４５】
植物は、パルプ化の前に通常チップ化される。これにより、蒸解の際に薬品を植物に均一に浸透させることができる。チップ化は、受刃、切削ナイフを有する切削装置により行えばよい。
【００４６】
植物からパルプを製造する条件または手法は、特に限定されない。製紙業界で一般に用いられるパルプ化法としては、例えば、クラフト法、サルファイト法、ソーダ法、ポリサルファイド法等の蒸解を行う化学的方法（ケミカルパルプ）、リファイナー、グラインダー等の機器を用いる機械的方法（メカニカルパルプ）；薬品による前処理の後機械力によってパルプ化する方法（セミケミカルパルプ）等が挙げられる。さらに漂白、叩解等の処理を行ってもよい。得られるパルプは、未晒（漂白前）パルプ、晒（漂白後）パルプ、叩解パルプ、未叩解パルプのいずれであってもよい。
【００４７】
パルプからの紙の製造は、常法により行えばよい。例えば、日本工業規格（ＪＩＳ）Ｐ  ８１２２「パルプ−試験用手すき紙の調製方法」（１９８９年版）に従えばよい。一例を挙げると、パルプを抄紙機でシート状に成形して得られるシートがより好ましい。パルプをシート状に成形する際に、製紙用途で一般に用いられる添加剤がパルプに添加されてもよい。該添加剤としては、紙力増強剤、嵩高剤、顔料、歩留り向上剤、ろ水性向上剤、内添サイズ剤（ロジン系サイズ剤、硫酸バンド等）、ｐＨ調整剤、消泡剤、ピッチコントロール剤、スライムコントロール剤等が例示される。該添加剤の使用量は特に限定されず、本発明の効果を損なわない範囲であればよい。パルプは、レーヨン繊維、フィルム等の他の材料を含んでいてもよく、上記ユーカリ属植物より得られるパルプとともに他の材料がシート、フィルム、ロール等の形状に成形されたものであってもよい。他の材料としては、レーヨン繊維等が例示される。パルプは、他の植物を原料とするパルプを含んでいてもよいが、含まないことが好ましい。
【００４８】
抄紙機としては、例えば長網式抄紙機、丸網式抄紙機、ギャップフォーマ、ハイブリッドフォーマ、多層抄紙機、これらの中から選ばれる２以上の抄造機における抄紙方式を組合せた公知の抄造機等が挙げられる。抄造機におけるプレス線圧、後段でカレンダー処理を行う場合のカレンダー線圧は、いずれも操業性及び得られる可塑化セルロースの性能に支障を来さない範囲内で設定すればよい。
【００４９】
パルプは、繊維全体における特定の繊維幅の繊維の存在密度が高いことが好ましい。例えば、繊維幅１６〜１８μｍの繊維の存在割合が高いことが好ましく、該割合が４５％以上であることがより好ましい。
【００５０】
紙の形状は特に限定されず、フィルム、シート、ロール等が例示される。
【実施例】
【００５１】
以下に実施例を挙げ、本発明をさらに具体的に説明するが、本発明はこれらに限定されるものではない。
【００５２】
実施例１〜３、比較例１〜１５
（１）蒸解試験
（１−１）チップの調製
ＡＭＣＥＬ社などから入手した表１〜２に示す樹種の植物（クローン苗より育成）よりチップを得た。
【００５３】
【表１】
0006373787.tif 000002
【表２】
0006373787.tif 000003
【００５４】
以下、Ｈ３９１１、ＶＥＧ、Ｍｉｘを例に取り、チップの製造条件を説明するが、他のサンプルも同様にして製造した。基本的には、ＪＩＳ  Ｐ  ８１２２「パルプ−試験用手すき紙の調製方法」（１９８９年版）に従って製造したＨ３９１１及びＭｉｘ（ＡＭＣＥＬ社より入手）については、それぞれ３個体分の丸太を入手し、都内の木材加工業者にてチッピングした。ＶＥＧは、日本製紙株式会社勇払工場より入手した。それらのチップをジャイロシフタで篩い分けし、２５．４ｍｍΦｐａｓｓ〜９．５ｍｍΦｏｎのフラクションを得、蒸解試験に用いた。
【００５５】
（１−２）蒸解試験
表３に示す条件で、２．５(Ｌ)容回転型オートクレーブを用いて蒸解試験を行った。チップに対する活性アルカリ(ＡＡ)添加率(%)は、予備試験を行い、表４のアルカリ（ＡＡ）添加率にてパルプ作製を行い、各材からの未晒パルプを得た。
【００５６】
【表３】
0006373787.tif 000004
【００５７】
【表４】
0006373787.tif 000005
【００５８】
（２）酸素脱リグニン
蒸解試験で得た未晒パルプを、表３に示す条件にて、Ｑｕａｎｔｕｍ  Ｍａｒｋ  ＩＶラボミキサーにて、酸素脱リグニンを行った。表６に酸素脱リグニンの結果を示す。Δ白色度は、３パルプともほぼ同等であったが、Ｍｉｘパルプのカッパー価がやや高かった。
【００５９】
【表５】
0006373787.tif 000006
【００６０】
【表６】
0006373787.tif 000007
【００６１】
（３）漂白試験
漂白はＤ０−Ｅ／Ｐ−Ｄ１のシークエンスにて、ラボ手揉みにて行った。比較のＣｅｎｉｂｒａ社、Ｆｉｂｒｉａ社品の白色度は、それぞれ、８８．７％、８９．８％であったため、目標白色度は９０％程度とした。各漂白段階での白色度推移を図１０に示す。漂白条件および結果を表７に示す。
【００６２】
Ｈ３８１１およびＭｉｘは、ＶＥＧと比較して、未晒白色度および酸脱後白色度が低く、目標白色度を得るのに、漂白薬品が多く必要であったが、最終的な白色度は、ほぼ９０％となったパルプを得ることができた。
【００６３】
【表７】
0006373787.tif 000008
【００６４】
（４）紙質試験
それぞれの紙の特性（裂断長、比引張強度、カナダ標準濾水度（ＣＳＦ）、密度、繊維幅、比破裂強度、比引き裂き強度）をＪＩＳ規格の紙試験方法に則って測定した。パルプの密度と比破裂強度の関係を図１および４に示す。パルプの密度と比引き裂き強度の関係を図２および５に示す。パルプの密度と裂断長の関係を図３および７に示す。パルプの密度と比引張強度の関係を図６に示す。繊維幅とＣＳＦの関係を図８に示す。パルプにおける各繊維幅の繊維の存在頻度を図９に示す。
【００６５】
図４〜図６の結果は、ＰＡＰＴＡＣ  Ｓｔａｎｄａｒｄｓ  Ｂ．２Ｐ，Ｂ．３Ｐ  ａｎｄ  Ｂ．７に基づいた、ＦＰＩ独自の方法で分析した。図７の結果のうち実施例１、比較例３および比較例４の結果は、図３の結果と同様である。
【００６６】
図１〜７から明らかなとおり、各実施例のサンプルは、同一密度のパルプを原料とする比較例のサンプルと比較して強度が最も高かった。図８から明らかなとおり、実施例１のサンプルは、比較例のサンプルと比較して短い繊維幅で低いＣＳＦを示した。図９から明らかなとおり、実施例１のサンプルは、比較例のサンプルと比較して特定の繊維幅の繊維の存在密度が高かった。これらの結果は、本発明の製造方法により特定の繊維幅の繊維の存在頻度の高いパルプを得ることができ、該パルプは強度に優れていることを示している。
【００６７】
実施例４及び比較例１６〜２１
ユーカリプタス・ユーログランディスＨ３９１１株（実施例４）、Ｈ４０７９株（比較例１６）、Ｕ３０７４株（比較例１７）、Ｕ３２３７株（比較例１８）、Ｕ３２４４株（比較例１９）、Ｐ３３３５株（比較例２０）及びＰ３３３６株（比較例２１）について、それぞれのＳＳＲマーカーの遺伝子型を調べた。結果を表８〜１１、図１１〜２８に示す。
【００６８】
【表８】
0006373787.tif 000009
【００６９】
【表９】
0006373787.tif 000010
【００７０】
【表１０】
0006373787.tif 000011
【００７１】
【表１１】
0006373787.tif 000012
【図１】
0006373787.tif 000013
【図２】
0006373787.tif 000014
【図３】
0006373787.tif 000015
【図４】
0006373787.tif 000016
【図５】
0006373787.tif 000017
【図６】
0006373787.tif 000018
【図７】
0006373787.tif 000019
【図８】
0006373787.tif 000020
【図９】
0006373787.tif 000021
【図１０】
0006373787.tif 000022
【図１１】
0006373787.tif 000023
【図１２】
0006373787.tif 000024
【図１３】
0006373787.tif 000025
【図１４】
0006373787.tif 000026
【図１５】
0006373787.tif 000027
【図１６】
0006373787.tif 000028
【図１７】
0006373787.tif 000029
【図１８】
0006373787.tif 000030
【図１９】
0006373787.tif 000031
【図２０】
0006373787.tif 000032
【図２１】
0006373787.tif 000033
【図２２】
0006373787.tif 000034
【図２３】
0006373787.tif 000035
【図２４】
0006373787.tif 000036
【図２５】
0006373787.tif 000037
【図２６】
0006373787.tif 000038
【図２７】
0006373787.tif 000039
【図２８】
0006373787.tif 000040